(57)【要約】【課題】スパイラル筋を用いて配筋作業の簡素化を図ると同時に、上方や側方からの外力に強く、耐力のあるハーフプレキャストコンクリート板を提供する。【解決手段】このハーフプレキャストコンクリート板は、互いに平行でかつそれぞれが長手方向に見て三角形の頂点に位置する上弦筋、第１の下弦筋および第２の下弦筋と、前記上弦筋と、前記第１および第２の下弦筋の周りに巻き回されたスパイラル筋と、前記上弦筋と、前記第１および第２の下弦筋との間に位置し、前記上弦筋と前記第１および第２の下弦筋とに平行な面内を伸びて、前記スパイラル筋を前記上弦筋と前記第１および第２の下弦筋とに対して拘束するメッシュ筋と、前記上弦筋と前記スパイラル筋の一部と前記メッシュ筋とが露出し、前記スパイラル筋の残部と前記第１および第２の下弦筋とが埋設されたコンクリート板とからなる。【選択図】図１
2009215828.tif 000002
【特許請求の範囲】
【請求項１】
互いに平行でかつそれぞれが長手方向に見て三角形の頂点に位置する上弦筋、第１の下弦筋および第２の下弦筋と、
前記上弦筋と、前記第１および第２の下弦筋の周りに巻き回されたスパイラル筋と、
前記上弦筋と、前記第１および第２の下弦筋との間に位置し、前記上弦筋と前記第１および第２の下弦筋とに平行な面内を伸びて、前記スパイラル筋を前記上弦筋と前記第１および第２の下弦筋とに対して拘束するメッシュ筋と、
前記上弦筋と前記スパイラル筋の一部と前記メッシュ筋とが露出し、前記スパイラル筋の残部と前記第１および第２の下弦筋とが埋設されたコンクリート板とからなるハーフプレキャストコンクリート板。
【請求項２】
前記スパイラル筋は、前記第１の下弦筋と前記第２の下弦筋とを連結する底辺部と、前記上弦筋と前記第１の下弦筋および前記第２の下弦筋とを連結する斜辺部とからなり、
前記メッシュ筋は、第１および第２の水平筋と、前記第１の水平筋と前記第２の水平筋とを連結する複数本の連結筋とからなる、請求項１に記載のハーフプレキャストコンクリート板。
【請求項３】
前記メッシュ筋の前記連結筋は、前記第１および第２の水平筋と直角に連結されており、
前記メッシュ筋は、第１および第２の水平筋が前記スパイラル筋の前記斜辺部と直交し、かつ前記連結筋が前記スパイラル筋の前記斜辺部と当接するように配置されている、請求項２に記載のハーフプレキャストコンクリート板。
【請求項４】
前記メッシュ筋の前記連結筋は、前記第１および第２の水平筋と斜めに連結されており、
前記メッシュ筋は、第１および第２の水平筋が前記スパイラル筋の前記斜辺部と直交し、かつ前記連結筋が前記スパイラル筋の前記斜辺部と当接するように配置されている、請求項２に記載のハーフプレキャストコンクリート板。
【請求項５】
前記メッシュ筋の前記連結筋は、前記第１および第２の水平筋と直角に連結されており、
前記メッシュ筋は、第１および第２の水平筋が前記スパイラル筋の前記底辺部と直交し、かつ前記連結筋が前記スパイラル筋の前記斜辺部と当接するように配置されている、請求項２に記載のハーフプレキャストコンクリート板。
【請求項６】
前記メッシュ筋の前記連結筋は、前記第１および第２の水平筋と斜めに連結されており、
前記メッシュ筋は、第１および第２の水平筋が前記スパイラル筋の前記底辺部と直交し、かつ前記連結筋が前記スパイラル筋の前記斜辺部と当接するように配筋されている、請求項２に記載のハーフプレキャストコンクリート板。
【請求項７】
前記メッシュ筋は、Ｖ字状に連続屈曲した稲妻筋である、請求項１に記載のハーフプレキャストコンクリート板。
【請求項８】
前記メッシュ筋は、Ｖ字状に連続屈曲した第１の稲妻筋と第２の稲妻筋とを平面形状が複数個の四角形を描くよう互いに当接させてなり、かつ、前記四角形の頂点が前記スパイラル筋の前記斜辺部と当接するよう前記面内に配置されている、請求項１に記載のハーフプレキャストコンクリート板。
【発明の詳細な説明】
【技術分野】
【０００１】
本発明は、ハーフプレキャストコンクリート板に関し、特にトラス筋としてスパイラル筋を使用したハーフプレキャストコンクリート板に関する。
【背景技術】
【０００２】
従来の典型的なハーフプレキャストコンクリート板として、図１３に示されるものがある。これは、２本の下弦筋と１本の上弦筋をそれぞれ三角形の各頂点に位置するように配置した後、上弦筋に逆Ｖ字形状のラチス筋を跨らせて鉛直方向から傾斜させて溶接し、さらに逆Ｖ字形状のラチス筋の両先端部を下弦筋に溶接している。
【０００３】
かかる構造のハーフプレキャストコンクリート板はラチス筋の１本１本を上弦筋および下弦筋に溶接固着する必要があるため、扱う鉄筋の本数が多く、配筋作業が煩雑であるという問題がある。
【０００４】
一方で、上記問題を解決したハーフプレキャストコンクリート板として、特許文献１に示されるスパイラルトラス筋を使用したものがある。これは、従来の複数本からなるラチス筋に代えて、１本のスパイラル筋を採用しているので、扱う鉄筋の本数が減少し、配筋の作業性を向上させることができる。
【０００５】
しかしながら、特許文献１に記載のハーフプレキャストコンクリート板は、三角形のトラス構造が長手方向の断面のみにしか形成されないため、図１３に示されるように三角形のトラス構造が長手方向の断面のみならず側方断面にも形成されている従来のものに場合に比べ、上方や側方からの外力に弱く座屈しやすいという問題を有している。
【０００６】
また、これらハーフプレキャストコンクリート板を大型床版に適用するには、コンクリート板の板厚およびトラス筋の高さを大きくする必要があるが、トラス構造の一部をコンクリート板に埋め込んだ従来の構造では、トラス筋のコンクリート板からの突出高さが従来に比べ大きくなる分、座屈が発生しやすくなるという問題を有している。
【特許文献１】特開２０００−１４５０１７号公報
【発明の開示】
【発明が解決しようとする課題】
【０００７】
そこで本発明は、スパイラル筋を用いて配筋作業の簡素化を図ると同時に、座屈を防止し、上方や側方からの外力に強く、耐力のあるハーフプレキャストコンクリート板を提供することを課題とする。
【課題を解決するための手段】
【０００８】
本願に係るプレキャストコンクリート板は、互いに平行でかつそれぞれが長手方向に見て三角形の頂点に位置する上弦筋、第１の下弦筋および第２の下弦筋と、前記上弦筋と、前記第１および第２の下弦筋の周りに巻き回されたスパイラル筋と、前記上弦筋と、前記第１および第２の下弦筋との間に位置し、前記上弦筋と前記第１および第２の下弦筋とに平行な面内を伸びて、前記スパイラル筋を前記上弦筋と前記第１および第２の下弦筋とに対して拘束するメッシュ筋と、前記上弦筋と前記スパイラル筋の一部と前記メッシュ筋とが露出し、前記スパイラル筋の残部と前記第１および第２の下弦筋とが埋設されたコンクリート板とからなる。
【０００９】
前記スパイラル筋は、前記第１の下弦筋と前記第２の下弦筋とを連結する底辺部と、前記上弦筋と前記第１の下弦筋および前記第２の下弦筋とを連結する斜辺部とからなし、前記メッシュ筋は、第１および第２の水平筋と、前記第１の水平筋と前記第２の水平筋とを連結する複数本の連結筋とからなすことができる。
【００１０】
前記メッシュ筋の前記連結筋は、前記第１および第２の水平筋と直角に連結されており、前記メッシュ筋は、第１および第２の水平筋が前記スパイラル筋の前記斜辺部と直交し、かつ前記連結筋が前記スパイラル筋の前記斜辺部と当接するように配置されているとすることができる。
【００１１】
また、前記メッシュ筋の前記連結筋は、前記第１および第２の水平筋と斜めに連結されており、前記メッシュ筋は、第１および第２の水平筋が前記スパイラル筋の前記斜辺部と直交し、かつ前記連結筋が前記スパイラル筋の前記斜辺部と当接するように配置されているとすることもできる。
【００１２】
また、前記メッシュ筋の前記連結筋は、前記第１および第２の水平筋と直角に連結されており、前記メッシュ筋は、第１および第２の水平筋が前記スパイラル筋の前記底辺部と直交し、かつ前記連結筋が前記スパイラル筋の前記斜辺部と当接するように配置されているとすることもできる。
【００１３】
また、前記メッシュ筋の前記連結筋は、前記第１および第２の水平筋と斜めに連結されており、前記メッシュ筋は、第１および第２の水平筋が前記スパイラル筋の前記底辺部と直交し、かつ前記連結筋が前記スパイラル筋の前記斜辺部と当接するように配置されているとすることもできる。
【００１４】
前記メッシュ筋は、Ｖ字状に連続屈曲した稲妻筋を採用することができる。
【００１５】
また、前記メッシュ筋は、Ｖ字状に連続屈曲した第１の稲妻筋と第２の稲妻筋とを平面形状が複数個の四角形を描くよう互いに当接させてなり、かつ、前記四角形の頂点が前記スパイラル筋の前記斜辺部と当接するよう前記面内に配置されているとすることもできる。
【発明の効果】
【００１６】
本発明に係るハーフプレキャストコンクリート板は、従来の複数本からなる逆Ｖ字形のラチス筋に代えて１本のスパイラル筋を採用したので、取扱部材数が減少し、作業性を向上させることができる。
【００１７】
また、スパイラル筋の変形を拘束するメッシュ筋を配置したので、上方や側方からの外力に対する抵抗力が増し、座屈しにくいハーフプレキャストコンクリート板を実現できる。
【発明を実施するための最良の形態】
【００１８】
以下、本発明の実施例を図１〜１２を参照にして詳細に説明する。図中、同一の構成部品には同一の符号を付している。
【００１９】
図１および２は、本願に係るハーフプレキャストコンクリート板に配置された鉄筋の構造の第１実施例を示し、図１は斜視図、図２は平面図である。前記鉄筋の構造は、互いに平行に配置される上弦筋２、第１の下弦筋４および第２の下弦筋６と、これらに巻き回されたスパイラル筋８、および該スパイラル筋を外側から拘束するメッシュ筋１０とからなる。
【００２０】
図示していないが、プレキャストコンクリート板のコンクリート板が、第１および第２の下弦筋のすべてとスパイラル筋の一部を埋設し、上弦筋およびメッシュ筋のすべてとスパイラル筋の残部を露出させるようにコンクリートが版状に打設されて設けられている。
【００２１】
第１の下弦筋４および第２の下弦筋６は、上弦筋２の下方に平行に位置し、それぞれが三角形の頂点をなすよう配置されている。（以下、この３本を「主筋等」という。）
【００２２】
スパイラル筋８は、前記主筋等の外側に三角形を描くように巻き回されて配置されている。このスパイラル筋８は、第１の下弦筋４と第２の下弦筋６とを連結する底辺部８ａと、上弦筋２と第１の下弦筋４及び第２の下弦筋６とを連結する斜辺部８ｂとを連続させて繰り返することで構成されている。図２に示されるように、本実施例では、斜辺部８ｂが前記主筋等に直交するようスパイラル筋８が配置されている。
【００２３】
必要であれば、スパイラル筋８が主筋等に対して前後方向に移動しないよう、それぞれの鉄筋が交差する適当な箇所を溶接してもよいし、なまし鉄線などの結束線を用いて連結固定してもよい。
【００２４】
メッシュ筋１０は、第１および第２の水平筋１２、１４とこれら水平筋を連結する補強筋１６とから一体的に構成され、図２に示されるように平面形状は梯子形を呈している。
【００２５】
メッシュ筋１０の横幅である第１の水平筋１２と第２の水平筋１４との距離は、第１の下弦筋４と第２の下弦筋６との距離よりも短く、また、補強筋１６同士の距離は、スパイラル筋８の斜辺部８ｂの間隔と同じ長さとなるよう設計されている。したがって、スパイラル筋と第１および第２の下弦筋を組み付けた後に、メッシュ筋１０をスパイラル筋８の上方から被せると、メッシュ筋１０は適当な位置でスパイラル筋８と当接して静止する。
【００２６】
このように設計されたメッシュ筋によれば、本ハーフプレキャストコンクリート板の製造過程において作業員が上弦筋やスパイラル筋の上に乗ったり、運搬時の資材が上弦筋やスパイラル筋にあたるなど、上方や側方から外力が加えられて、スパイラル筋が外側に広がるように変形しようとする場合に、メッシュ筋８の存在によりこの変形が拘束されるので、ハーフプレキャストコンクリート板の設計時における所定の耐力を確実に保有させることができる。
【００２７】
また、メッシュ筋８の存在によりスパイラル筋の座屈を防ぎつつ、スパイラル筋の突出高さを従来に比べ大きくとることができるので、コンクリート板の板厚やスパイラル筋の突出高さを大きく設計した大型床版に適用可能なハーフプレキャストコンクリート板を実現できる。
【００２８】
以上のような構造のハーフプレキャストコンクリート板を作成するには、まず工場において、型枠にスパイラル筋と、スパイラル筋の三角形の頂点に位置するよう第１および第２の下弦筋を配置する。必要があれば適宜、スパイラル筋と下弦筋と溶接もしくは結束により両者を固定する。次に、型枠内に下弦筋のすべて、およびスパイラル筋の一部を埋設させる深さまでコンクリートを流し込み、コンクリート板を形成する。コンクリートを養生した後、予め一体形成されたメッシュ筋１０をスパイラル筋の上方から被せ、最後に上弦筋２をスパイラル筋８の残りの頂点に保持させてハーフプレキャストコンクリート板が製造される。
【００２９】
製造されたハーフプレキャストコンクリート板は、建設施工現場へ搬送され、はり上に並設される。さらに、上部に現場打ちコンクリートが打設されて床版の構築に供される。
【００３０】
図３および４は、本願に係るハーフプレキャストコンクリート板に配置された鉄筋の構造の第２実施例を示し、図３は斜視図、図４は平面図である。
【００３１】
本実施例は、メッシュ筋１８の形状が第１実施例と異なっており、その他の鉄筋の構造は同じである。
【００３２】
メッシュ筋１８は、第１および第２の水平筋２０、２２と、これら水平筋を連結する連結筋２４とから一体的に構成されている。図４に示されるように、連結筋２４は、く字を連続させた形状を描くよう第１および第２の水平筋を斜めに連結している。
【００３３】
メッシュ筋１８の横幅である第１の水平筋２０と第２の水平筋２２との距離は、第１の下弦筋４と第２の下弦筋６との距離よりも短く、また、第１の水平筋２０と第２の水平筋とを連結する連結筋２４の一辺あたりの長手方向長さは、スパイラル筋８の斜辺部８ｂの間隔と同じ長さとなるよう設計されている。
【００３４】
このように設計されたメッシュ筋１８によれば、ハーフプレキャストコンクリート板の上方や側方から外力が作用した場合でも、スパイラル筋の変形が拘束されるので耐力が向上する。
【００３５】
図５および６は、本願に係るハーフプレキャストコンクリート板に配置された鉄筋の構造の第３実施例を示し、図５は斜視図、図６は平面図である。
【００３６】
本実施例は、鉄筋の構造が、上弦筋４と第１および第２の下弦筋４、６とからなる主筋等と、スパイラル筋２６と、メッシュ筋３０とからなる点で構成は共通するものの、スパイラル筋２６とメッシュ筋３０との形状が前述の実施例と異なっている。
【００３７】
スパイラル筋２６は、前記主筋等の外側に三角形を描くように巻き回されて配置され、本実施例では特に、底辺部２６ａが前記主筋等に直交するよう配置されている。
【００３８】
メッシュ筋３０は、第１および第２の水平筋３２、３４とこれら水平筋を連結する連結筋３６とから一体的に構成され、平面形状は図６に示されるように梯子形を呈している。
【００３９】
メッシュ筋３０の横幅である第１の水平筋３２と第２の水平筋３４との距離は、第１の下弦筋４と第２の下弦筋６との距離よりも短く、また、補強筋３６同士の距離は、全ての連結筋３６がスパイラル筋２６の斜辺部２６ｂと当接するようにメッシュ筋３０の横幅に応じて設計されている。
【００４０】
例えば、スパイラル筋の底辺部２６ａ同士の間隔がＤである場合、メッシュ筋の第１および第２の水平筋の距離をＤ／２に、連結筋同士の間隔をＤ／２と設計することができる。
【００４１】
図７および８は、本願に係るハーフプレキャストコンクリート板に配置された鉄筋の構造の第４実施例を示し、図７は斜視図、図８は平面図である。
【００４２】
本実施例では、上弦筋４と第１および第２の下弦筋４、６とからなる主筋等と、スパイラル筋２６とが第３の実施例と共通しており、メッシュ筋３８の形状が前述の実施例と異なっている。
【００４３】
メッシュ筋３８は、第１および第２の水平筋４０、４２と、これら水平筋を連結する連結筋４４とから一体的に構成されている。図８に示されるように、連結筋４４は、くの字を連続させた形状を描くよう第１および第１の水平筋を斜めに連結している。
【００４４】
メッシュ筋３８の横幅である第１の水平筋４０と第２の水平筋４２との距離は、第１の下弦筋４と第２の下弦筋６との距離よりも短く、また、第１の水平筋４０と第２の水平筋４２とを連結する連結筋４４の一辺あたりの長手方向長さは、スパイラル筋２６の底辺部２６ａの間隔と同じ長さとなるように設計されている。
【００４５】
図９および１０は、本願に係るハーフプレキャストコンクリート板に配置された鉄筋の構造の第５実施例を示し、図９は斜視図、図１０は平面図である。
【００４６】
本実施例は、第４実施例におけるメッシュ筋３８の構造をより簡素化したもので、第１および第２の水平筋４０、４２を削除して、連結筋４４のみで構成している。
【００４７】
図１１および１２は、本願に係るハーフプレキャストコンクリート板に配置された鉄筋の構造の第６実施例を示し、図１１は斜視図、図１２は平面図である。
【００４８】
本実施例は、第１および第２の実施例とスパイラル筋８が同じであり、メッシュ筋４６の形状が異なっている。
【００４９】
メッシュ筋４６は、第２の実施例における連結筋２４を２本用いて線対称に配置し、一体的になしたものである。すなわち、連結筋２４の一辺当たりの長手方向長さは、スパイラル筋８の斜辺部８ｂの間隔と同じ長さとなるように設計されている。
【００５０】
上記実施例のハーフプレキャストコンクリート板によれば、いずれもスパイラル筋の変形を拘束するメッシュ筋が配置されているので、上方や側方からの外力に対する抵抗力が増し、座屈しにくいハーフプレキャストコンクリート板が実現される。同時に、床版の大型化にも対応可能となる。
【００５１】
また、１本のスパイラル筋を使用したので、従来の逆Ｖ字形のラチス筋を使用したハーフプレキャストコンクリート板と比べ、取扱部材数が減少し、作業性を向上させることができる。
【００５２】
以上、本願に係るハーフプレキャストコンクリート板について、その実施例に基づき説明してきたが、本発明は上記実施例に記載した構成に限定されるものでなく、その趣旨を逸脱しない範囲において適宜その構成を変更できうるものである。
【図面の簡単な説明】
【００５３】
【図１】本願に係るハーフプレキャストコンクリート板の第１実施例を示す斜視図。
【図２】図１に示したハーフプレキャストコンクリート板の平面図。
【図３】本願に係るハーフプレキャストコンクリート板の第２実施例を示す斜視図。
【図４】図２に示したハーフプレキャストコンクリート板の平面図。
【図５】本願に係るハーフプレキャストコンクリート板の第３実施例を示す斜視図。
【図６】図３に示したハーフプレキャストコンクリート板の平面図。
【図７】本願に係るハーフプレキャストコンクリート板の第４実施例を示す斜視図。
【図８】図７に示したハーフプレキャストコンクリート板の平面図。
【図９】本願に係るハーフプレキャストコンクリート板の第５実施例を示す斜視図。
【図１０】図９に示したハーフプレキャストコンクリート板の平面図。
【図１１】本願に係るハーフプレキャストコンクリート板の第６実施例を示す斜視図。
【図１２】図１１に示したハーフプレキャストコンクリート板の平面図。
【図１３】従来のハーフプレキャストコンクリート板を示す斜視図および断面図。
【符号の説明】
【００５４】
２                              上弦筋
４                              第１の下弦筋
６                              第２の下弦筋
８、２６                        スパイラル筋
１０、１８、３、３８、４６      メッシュ筋
１２、２０、３２、４０          第１の水平筋
１４、２２、３４、４２          第２の水平筋
１６、２４、３６、４４          連結筋
【図１】
2009215828.tif 000003
【図２】
2009215828.tif 000004
【図３】
2009215828.tif 000005
【図４】
2009215828.tif 000006
【図５】
2009215828.tif 000007
【図６】
2009215828.tif 000008
【図７】
2009215828.tif 000009
【図８】
2009215828.tif 000010
【図９】
2009215828.tif 000011
【図１０】
2009215828.tif 000012
【図１１】
2009215828.tif 000013
【図１２】
2009215828.tif 000014
【図１３】
2009215828.tif 000015